(57)【要約】【課題】小ノズル付きのキャップ本体後部へ、小ノズル密閉用の小筒部付き蓋体後部をヒンジ連結させて、蓋体を嵌合させたキャップであって、その蓋開放を確実かつ容易に行えるものを提供する。【解決手段】キャップ本体１の外筒５の少なくとも一部壁部を弾性操作板１０に形成し、かつ該弾性操作板１０上端面の一部から起立したフック１４の先端爪部１６を、蓋体周壁２４に穿設した係合部２７内へキャップ内方から係合させるとともに、フック起立箇所を除く弾性操作板１０上端面部分と、蓋体周壁２４の下端面とのうち少なくとも一方端面側に、他方端面側へ当接させて、弾性操作板１０の内方押込み力を蓋体押上げ力へ変換するための係合斜面１８，２８を形成し、かつ上記蓋体２１を開方向へ付勢する手段３１を設けた。【選択図】図１
2004352307.tif 000002
【特許請求の範囲】
【請求項１】
注出孔２ａ付きの頂板３から、容器体口頸部へ嵌合させた内筒４と該内筒を囲む外筒５とを垂下するキャップ本体１と、注出孔閉塞部２９を備えた頂壁２３周縁から周壁２４を垂下した蓋体２１との各後部をヒンジ連結してなるキャップにおいて、
上記外筒５の少なくとも一部壁部を下辺側を除いて切離して内方押込み可能な弾性操作板１０に形成し、かつ該弾性操作板１０上端面の一部から起立したフック１４の先端爪部１６を、上記蓋体周壁２４に設けた係合部２７へキャップ内方から係合させるとともに、フック起立箇所を除く弾性操作板１０上端面部分と、蓋体周壁２４の下端面とのうち少なくとも一方端面側に、他方端面側へ当接させて、弾性操作板１０の内方押込み力を蓋体押上げ力へ変換するための係合斜面１８，２８を形成し、
かつ上記蓋体２１を開方向へ付勢する手段３１を設けたことを特徴とする、蓋体付きのキャップ。
【請求項２】
上記キャップ本体１の注出孔２ａを、キャップ本体頂板３から立設するノズル２の先端開口とするとともに、
上記蓋体付勢手段３１を、ノズル外面部分へ嵌着した、上記注出孔２ａと連通する注出口３４付きの嵌合部３２の後壁３３下端部から後方へ突出され、蓋体閉塞状態で蓋体頂壁２３裏面側へ折り返された弾性帯板３５で形成し、
かつ、上記蓋体頂壁２３裏面から上記注出孔閉塞部２９としての栓筒を垂下し、該栓筒を、上記嵌合部３２外面へ液密に嵌合させたことを特徴とする、請求項１記載の蓋体付きキャップ。
【請求項３】
上記キャップ本体１の外筒５左右両側上部を一対の弾性操作板１０，１０に形成するとともに、蓋体周壁２４の左右両壁部分に係合部２７、２７をそれぞれ設け、かつ上記弾性操作板１０の上端部の前方寄りにフック１４を、後方寄りに上記係合斜面１８をそれぞれ形成したことを特徴とする、請求項１又は請求項２記載の蓋体付きのキャップ。
【発明の詳細な説明】
【０００１】
【発明の利用分野】
本発明は、蓋体付きのキャップに関する。
【０００２】
【従来の技術】
小ノズルを起立する頂板から容器体口頸部外面へ嵌合させる内筒と該内筒を囲む外筒とを垂下し、該外筒上端部を小外径筒部とするキャップ本体と、上記小ノズル外面へ嵌合して密閉する小筒部を下面に有する頂壁外周から周壁を垂下して、該周壁下端部を上記小外径筒部へ嵌合させた蓋体とを、各後部で弾性反転式のヒンジ機構で連結し、該ヒンジ機構を中心とする回動で蓋体の開閉が自在とし、又容器体外筒の左右両上半部を外筒から切離して弾性操作板に形成し、これら弾性操作板を内方へ押込むと蓋体頂壁の裏面から垂下させた突部の斜面へ弾性板上端から延長された先端部が圧接して、突部を介して蓋体前部を押上げするよう設けた蓋体付きキャップが知られている（特許文献１）。
【０００３】
【特許文献１】
特許第３２７３３５９号公報
【０００４】
【発明の解決しようとする課題】
本発明も上記従来例のような小ノズル付きのキャップ本体後部へ、小ノズル密閉用の小筒部付き蓋体後部をヒンジ連結させて、蓋体を嵌合させたキャップに関するものであり、従来と異なる機構で開蓋を確実かつ容易に行うことができるようにしたものである。
【０００５】
【課題を解決するための手段】
第１の手段は、注出孔２ａ付きの頂板３から、容器体口頸部へ嵌合させた内筒４と該内筒を囲む外筒５とを垂下するキャップ本体１と、注出孔閉塞部２９を備えた頂壁２３周縁から周壁２４を垂下した蓋体２１との各後部をヒンジ連結してなるキャップにおいて、
上記外筒５の少なくとも一部壁部を下辺側を除いて切離して内方押込み可能な弾性操作板１０に形成し、かつ該弾性操作板１０上端面の一部から起立したフック１４の先端爪部１６を、上記蓋体周壁２４に設けた係合部２７へキャップ内方から係合させるとともに、フック起立箇所を除く弾性操作板１０上端面部分と、蓋体周壁２４の下端面とのうち少なくとも一方端面側に、他方端面側へ当接させて、弾性操作板１０の内方押込み力を蓋体押上げ力へ変換するための係合斜面１８，２８を形成し、
かつ上記蓋体２１を開方向へ付勢する手段３１を設けている。
【０００６】
第２の手段は、上記第１の手段を有し、上記キャップ本体１の注出孔２ａを、キャップ本体頂板３から立設するノズル２の先端開口とするとともに、
上記蓋体付勢手段３１を、ノズル外面部分へ嵌着した、上記注出孔２ａと連通する注出口３４付きの嵌合部３２の後壁３３下端部から後方へ突出され、蓋体閉塞状態で蓋体頂壁２３裏面側へ折り返された弾性帯板３５で形成し、
かつ、上記蓋体頂壁２３裏面から上記注出孔閉塞部２９としての栓筒を垂下し、該栓筒を、上記嵌合部３２外面へ液密に嵌合させている。
【０００７】
第３の手段は、上記第１の手段又は第２の手段を有し、かつ上記キャップ本体１の外筒５左右両側上部を一対の弾性操作板１０，１０に形成するとともに、蓋体周壁２４の左右両壁部分に係合部２７、２７をそれぞれ設け、かつ上記弾性操作板１０の上端部の前方寄りにフック１４を、後方寄りに上記係合斜面１８をそれぞれ形成している。
【０００８】
【発明の実施の形態】
図１から図３は、本発明の第１の実施形態に係るキャップを示している。
【０００９】
該キャップは、キャップ本体１と、蓋体２１と、蓋体付勢手段３１とで構成されている。
【００１０】
キャップ本体１は、左右方向へ長い楕円形状としており、図１に点線で示す如くノズル２を起立する頂板３から、図２が示すように容器体口頸部の外面へ嵌合させる内筒４と該内筒４を囲んで外筒５とを垂下している。該外筒の上端部は、図１に示すように、上向き段部６を介して小外径部７を形成している。内筒４は口頸部嵌合のため真円としており、外筒５は楕円形状をなす。上記ノズル２は半球形状をなし、その上部前面寄りに注出孔２ａを形成させている。
【００１１】
又、上記キャップ本体外筒５の左右両上部は、切離し線１３穿設により切離して弾性操作板１０，１０としている。これら弾性操作板は、各弾性操作板が有する上向き段部部分６ａ下方の外筒部分を、少なくとも筒壁外面が後述の蓋体周壁よりも左右側外方へ張り出す肉厚の操作板部１０ａに形成している。
【００１２】
該操作板部１０ａの上端面後半部では、各弾性操作板が有する小外径部部分７ａを切り欠くとともに、該切欠き１１側外方の上向き段部部分６ａ上に係合突部１７を付設している。この係合突部１７は、図３に示す如くキャップ内方側に、斜め下内方への第１係合斜面１８を有する前面視直角三角形状に形成している。
又、上記操作板部１０ａの上端面前半部では、小外径部部分７ａと該小外径部部分の外面上端部に付設した爪部１６とでフック１４を形成している。
【００１３】
又、このフック１４内方のキャップ本体頂板部分には、フック押込み用の間隙８を形成している。
【００１４】
尚、図示例と異なり、上記弾性操作板１０は、図示の構成に対して上記フック１４と係合突部１７との前後方向の位置を入れ替えたもの、即ちフック１４を操作板部１０ａの上端面後半部に、又、係合突部１７を操作板部上端面の前半部にそれぞれ形成したものとしても良い。この変形例において、フックの爪部１６を突出させる向きは、図示例と同様にキャップ外向きとし、又、係合突部１７の第１係合係合斜面１８も図示例同様にキャップ内方側に設けるものとする。
【００１５】
蓋体２１は、キャップ本体１の後方上部でヒンジ２２を介して連結させており、該ヒンジを中心とする回動によりキャップ本体１上面への嵌合可能に形成する。該嵌合時において、頂壁２３から垂下する周壁２４下部を上記キャップ本体１の小外径部７外面へ嵌合させ、又、周壁下端面を上向き段部６上面へ載置可能にしている。該蓋体もキャップ本体と同様に平面楕円形状としている。
【００１６】
更に又、上記蓋体周壁２４には、キャップ本体１上面への嵌合時において、上記フック１４の爪部１６を係止させる係合部２７と、上記第１係合斜面１８と係合する斜め下内方への第２係合斜面２８とを形成している。
【００１７】
上記係合部２７は、係合凹部（図示例のような貫通孔又は蓋体周壁２４内面に穿設した凹部）とすることが望ましいが、蓋体周壁内面に付設された凸部であって、その凸部上面にフック爪部の下面が係止するように設けたものでも良い。
【００１８】
上記第２係合斜面２８は、図３に示す如く、係合突部１７上方の蓋体周壁部分下端の外方角部を面取りして上記第１係合斜面１８と面接するように形成している。
【００１９】
又、上記蓋体頂壁２３の裏面からは、注出孔閉塞部２９としての栓筒を、該栓筒下端部がキャップ本体のノズル２の周りを空隙を存して囲うように垂設する。
【００２０】
蓋体付勢手段３１は、上記キャップ本体１のノズル２外面へ嵌合させた嵌合部３２と、該嵌合部後面下端部から後方突出した弾性帯板３５とで形成している。この蓋体付勢手段は、シリコンゴムなどの弾性材料で形成する。
【００２１】
嵌合部３２は、ノズル２の外形と対応した半球形であり、該ノズルの注出孔２ａと連通した注出口３４を穿設している。この嵌合部の外面には、注出孔閉塞部２９である上記栓筒の下端部を液密に嵌合させている。
【００２２】
弾性帯板３５は、図１に示す開蓋状態から蓋体２１を閉塞させることで、同図に想像線で示す如く該弾性帯板の先端部が弾性に抗してキャップ内方側へ折り返され、かつ蓋体頂壁２３の裏面へ当接させるように設ける。
【００２３】
以上の構成において、図２に示す閉蓋状態では、上記弾性帯板１０は、蓋体付勢手段３１の付勢力に抗して蓋体２１の閉蓋状態を維持している。
【００２４】
上記閉蓋状態から、弾性操作板１０，１０の外面をキャップ内方へ押し込むと、係合突部１７の第１係合斜面１８が蓋体側の第２係合斜面２８を介して蓋体２１を押し上げるとともに、フック１４の爪部１６が係合部２７内からキャップ内方へ退いて、該係合部への爪部１６の係合が解除される。該係合が解けると、弾性帯板３５の弾性復元力により蓋体２１が開放される。
【００２５】
この開放状態から、弾性帯板３５の弾性に抗して蓋体２１を開方向へ回すと、フック１４の爪部１６が上記係合部２７へ係止し、図２の閉蓋状態へ戻る。
【００２６】
図４は、本発明の第２の実施形態を示したものである。この実施形態は、第１実施形態における弾性操作板１０、係合部２７及び第２係合斜面２８をそれぞれキャップ本体１の外筒５前壁側に設けたものである。これ以外の構成は第１実施形態のものと同じであるので、同一の符号を付することで説明を省略する。
【００２７】
【発明の効果】
本発明は上記の構成であり、請求項１の発明の場合には次の効果を奏する。○弾性操作板１０の押し込みをしない限り開蓋不能であり、よって幼児の開蓋は不能となり、不測の事故の発生を防止することができる。
○上記弾性操作板１０の押込みにより、該弾性操作板１０上端面乃至蓋体周壁２４の下端面に設けた係合斜面１８，２８を介して蓋体２１を押し上げるとともに、蓋体周壁２４に設けた係合部２７からフック１４の爪部１６が離脱しようとするから、少ない押込み量でも確実に上記爪部１６の係合を解除することができる。
○上記係合斜面１８，２８を介して蓋体２１を押し上げるとともに、蓋体付勢手段３１で蓋体２１を開方向へ付勢しているから、弾性操作板１０の軽い押込みにより開蓋操作が可能となる。
【００２８】
請求項２の発明によれば、蓋体付勢手段２１は、ノズル２へ嵌着させた嵌合部３２から後方突出した弾性帯板３５を閉蓋状態で蓋体頂壁２３裏面へ折り返してなるから、閉蓋状態で外部から見えることがなく、キャップの体裁を損なわない。
【００２９】
請求項３の発明によれば、蓋体押上げ手段である係合斜面１８を、上記弾性操作板１０の上端部の後方寄りに、即ち蓋体２１の回動中心であるヒンジ２２に近い場所に設けたから、弾性操作板１０の押込み量が比較的僅かであっても確実に蓋体２１を押上げることができる。
【図面の簡単な説明】
【図１】本発明の第１の実施形態に係るキャップの全開状態での斜視図である。
【図２】図１のキャップを閉状態での正面断面図である。
【図３】図１のＩＩＩ−ＩＩＩ方向に見た同図キャップの係止突部１７と、蓋体周壁の対応部分との閉蓋時係合状態を示す要部断面図である。
【図４】図１のキャップの半開状態での斜視図である。
【図５】本発明の第２の実施形態に係るキャップの全開状態での斜視図である。
【符号の説明】
１…キャップ本体  １０…弾性操作板  １４…フック  ２１…蓋体
３１…蓋体付勢手段
【図１】
2004352307.tif 000003
【図２】
2004352307.tif 000004
【図３】
2004352307.tif 000005
【図４】
2004352307.tif 000006
【図５】
2004352307.tif 000007